(57)【要約】    【課題】  電源投入直後の起動動作に要する時間の短縮化を図ることができる画像処理装置を提供する。    【解決手段】  圧縮画像データを復号する画像デコーダと、制御用プログラムに従って画像デコーダを含む画像処理装置内の動作を制御する中央処理装置と、を備え、中央処理装置は、制御用プログラムが圧縮された圧縮制御データを画像デコーダをして復号動作をせしめて制御用プログラムを得る起動動作を電源投入直後に実行する。【選択図】  図２
2006285402.tif 000002
【特許請求の範囲】
【請求項１】
圧縮画像データを復号する画像デコーダと、制御用プログラムに従って前記画像デコーダを含む画像処理装置内の動作を制御する中央処理装置と、を備えた画像処理装置であって、
前記中央処理装置は、前記制御用プログラムが圧縮された圧縮制御データを前記画像デコーダをして復号動作をせしめて前記制御用プログラムを得る起動動作を電源投入直後に実行することを特徴とする画像処理装置。
【請求項２】
前記中央処理装置は、前記電源投入直後に起動プログラムに従って前記起動動作を実行することを特徴とする請求項１記載の画像処理装置。
【請求項３】
前記中央処理装置は、前記圧縮制御データが予め書き込まれたＲＯＭ（リードオンリメモリ）から前記圧縮制御データを読み出す第１ステップと、第１ステップで読み出された前記圧縮制御データをＲＡＭ（ランダムアクセスメモリ）の第１記憶領域に書き込む第２ステップと、前記第１記憶領域に書き込まれた前記圧縮制御データを前記画像デコーダに供給してそこで前記圧縮制御データの復号化を行わせる第３ステップと、前記画像デコーダによって復号化されたデータを前記ＲＡＭの第２記憶領域に書き込む第４ステップと、を各々実行し、前記制御用プログラムが前記第２記憶領域に形成されるまで前記第１ないし第４ステップを繰り返して実行することを特徴とする請求項１記載の画像処理装置。
【請求項４】
前記画像デコーダは、ＭＰＥＧ形式で圧縮されたデータを復号することを特徴とする請求項１記載の画像処理装置。
【発明の詳細な説明】
【技術分野】
【０００１】
本発明は、ＭＰＥＧデコーダ等の画像デコーダを備えた画像処理装置に関する。
【背景技術】
【０００２】
画像処理装置としてのＤＶＤレコーダにおいては、録画動作、再生動作及び編集動作等の様々な動作を可能にするために、ＣＰＵ（中央処理装置）がＯＳ(オペレーションシステム)及びアプリケーションソフトからなる制御用プログラムを実行する構成となっている。
【０００３】
よって、ＤＶＤレコーダの電源投入後には起動動作が行われ、その起動動作時には、ＣＰＵが起動プログラムに従ってＲＯＭから圧縮制御データを読み出し、それをＲＡＭに一旦書き込み、圧縮制御データを順次復号化して再びにＲＡＭに書き込んで制御用プログラムをＲＡＭ上に形成することを行い、その後、制御用プログラムをＣＰＵが実行することによってＤＶＤレコーダの実際の動作が可能となる。
【発明の開示】
【発明が解決しようとする課題】
【０００４】
このように電源投入直後に起動動作を実行するために実際にＤＶＤレコーダとしての録画動作等の動作が可能となるまでにかなりの時間が掛かるという欠点があった。このことは、ＤＶＤレコーダに限らず、ＣＰＵが制御用プログラムを実行する構成を有する他の画像処理装置でも同様である。
【０００５】
本発明が解決しようとする課題には、上記の欠点が一例として挙げられ、電源投入直後の起動動作に要する時間の短縮化を図ることができる画像処理装置を提供することが本発明の目的である。
【課題を解決するための手段】
【０００６】
請求項１に係る発明の画像処理装置は、圧縮画像データを復号する画像デコーダと、制御用プログラムに従って前記画像デコーダを含む画像処理装置内の動作を制御する中央処理装置と、を備えた画像処理装置であって、前記中央処理装置は、前記制御用プログラムが圧縮された圧縮制御データを前記画像デコーダをして復号動作をせしめて前記制御用プログラムを得る起動動作を電源投入直後に実行することを特徴としている。
【発明を実施するための最良の形態】
【０００７】
以下、本発明の実施例を図面を参照しつつ詳細に説明する。
【０００８】
図１は本発明を適用したディスクレコーダを示している。このディスクレコーダは、ＴＶチューナ１、Ａ／Ｄ変換器２、ＭＰＥＧエンコーダ３、ＣＰＵ４、表示部５、操作部６、ＨＤＤ（ハードディスクドライブ）装置７、光ディスクドライブ装置８、ＲＯＭ９、ＲＡＭ１０、ＭＰＥＧデコーダ１１及びＤ／Ａ変換器１２からなる。
【０００９】
ＴＶチューナ１はアンテナ入力端子２１に接続され、そこに接続されるアンテナ（図示せず）を介してテレビ放送波をＣＰＵ４による制御によって選択的に受信しその受信信号を復調してアナログの映像信号及び音声信号を出力する。ＴＶチューナ１の出力はＡ／Ｄ変換器２に接続されている。Ａ／Ｄ変換器２はＴＶチューナ１から出力されるアナログの映像信号及び音声信号をディジタル化する。また、Ａ／Ｄ変換器２は外部映像及び音声入力端子２２及び２３に接続され、そこに供給されるアナログの映像信号及び音声信号をディジタル化する。Ａ／Ｄ変換器２の出力はエンコーダ３に接続されている。エンコーダ３はディジタル化された映像信号及び音声信号を例えば、ＭＰＥＧ形式の圧縮データに変換する。
【００１０】
エンコーダ３、ＣＰＵ４、ＨＤＤ装置７、光ディスクドライブ装置８、ＲＯＭ９、ＲＡＭ１０及びデコーダ１１は共通のバス１６に接続されている。
【００１１】
ＣＰＵ４は例えば、マイクロコンピュータからなり、予め定められた制御用プログラムに従って本ディスクレコーダ全体を制御する。また、本ディスクレコーダの電源投入時には予め定められた起動プログラムに従って起動動作を行う。ＣＰＵ４とＴＶチューナ１との間は図示しない制御ラインによって接続され、ＴＶチューナ１の受信チャンネルがＣＰＵ４によって制御されるようになっている。
【００１２】
表示部５及び操作部６はＣＰＵ４に接続されている。表示部５はＣＰＵ４から表示指令に応じてＴＶチューナ１の受信チャンネルやＨＤＤ装置７及び光ディスクドライブ装置８の記録／再生状態を表示する。操作部６はユーザの入力操作を受け入れてその入力操作に応じた指令をＣＰＵ４に供給する。
【００１３】
ＨＤＤ装置７は書き換え可能な固定ディスク（図示せず）による記憶装置であり、ＣＰＵ４の書込指示に応じてエンコーダ３から供給される圧縮データを内部の固定ディスクのその書込指示が示すアドレス位置に書き込む。また、ＣＰＵ４の読出指示に応じて固定ディスクからその読出指示によってアドレス指定された記憶位置の圧縮データを読み出してバス１６に出力する。
【００１４】
光ディスクドライブ装置８は、リムーバブル型の記憶装置であり、ＣＰＵ４の書込指示に応じてエンコーダ３又はＨＤＤ装置７からの圧縮データを光ディスク１５に書き込み可能な装置である。光ディスク１５としては例えば、ＤＶＤ−ＲやＤＶＤ−ＲＷが用いられる。光ディスクドライブ装置８はＣＰＵ４の読出指示に応じて光ディスク１５に書き込まれている圧縮データを読み出すこともできる。
【００１５】
ＲＯＭ９には上記の起動プログラムが予め書き込まれていると共にＭＰＥＧ形式で圧縮された圧縮制御データが予め書き込まれている。ＲＡＭ１０には、本ディスクレコーダのためのＯＳ(オペレーションシステム)及びアプリケーションソフトからなる上記の制御用プログラムが書き込まれる。起動プログラムは、本ディスクレコーダに電源が投入された時にＣＰＵ４が実行するプログラムである。制御用プログラムは後述するが、ＲＯＭ９に記憶された圧縮制御データを伸張して得られるプログラムである。
【００１６】
デコーダ１１はバス１６を介してエンコーダ３、ＣＰＵ４、ＨＤＤ装置７又は光ディスクドライブ装置８から供給される圧縮データを伸張してディジタルの映像信号及び音声信号を復元する。復元されたディジタルの映像信号及び音声信号はＤ／Ａ変換器１２に供給される。Ｄ／Ａ変換器１２はディジタルの映像信号及び音声信号をアナログの映像信号及び音声信号に変換して映像及び音声出力端子２４及び２５に供給する。映像及び音声出力端子２４及び２５には図示しないテレビモニタが接続される。また、デコーダ１１は、起動時には、ＭＰＥＧ形式で圧縮された圧縮制御データを復号する。
【００１７】
かかる構成のディスクレコーダにおいては、操作部６の電源ボタンが操作されると、ＣＰＵ４はＲＯＭ９に書き込まれた起動プログラムに従って起動動作を開始する。
【００１８】
ＣＰＵ４は、起動動作において、先ず、図２に示すように、ＲＯＭ９から圧縮制御データを読み出し（ステップＳ１）、読み出した圧縮制御データをＲＡＭ１０に書き込む（ステップＳ２）。
【００１９】
ＣＰＵ４は、その書き込まれた圧縮制御データを所定量だけ読み出し（ステップＳ３）、それをデコーダ１１に伸張、すなわち復号させる（ステップＳ４）。デコーダ１１は供給される所定量の圧縮制御データを復号して復号制御データを出力する。復号制御データがデコーダ１１から出力されると、その復号制御データをＣＰＵ４はＲＡＭ１０に書き込む（ステップＳ５）。復号制御データはＲＡＭ１０の圧縮制御データの記憶領域（第１記憶領域）とは異なる領域（第２記憶領域）に書き込まれる。ＣＰＵ４は、読み出されていない残りの圧縮制御データがＲＡＭ１０にあるか否かを判別する（ステップＳ６）。残りの圧縮制御データがあるならば、ＣＰＵ４は、ステップＳ３に戻って上記のステップＳ３〜Ｓ６を繰り返す。
【００２０】
なお、ＲＡＭ１０に読み出されていない残りの圧縮制御データの最終部分のデータ量が所定量に満たない場合にはステップＳ３ではそれが読み出される。また、ステップＳ１及びステップＳ２の圧縮制御データの読出及び書込動作は、デコーダ１１が復号動作をしている間においても圧縮制御データの全てがＲＡＭ１０に書き込まれるまで復号動作と平行して実行される。
【００２１】
ＲＡＭ１０から読み出されていない残りの圧縮制御データがなくなると、ステップＳ５にてＲＡＭ１０に繰り返し書き込まれた復号制御データは制御用プログラムを形成することになる。よって、ＣＰＵ４はその制御用プログラムをその先頭から読み出し、制御用プログラムに従って本ディスクレコーダの制御を開始する（ステップＳ７）。
【００２２】
このように、ディスクレコーダの制御が実際に開始されるまでの起動動作においては、ＲＯＭ９に記憶された圧縮制御データの復号化をＣＰＵ４が実行するのではなく、ディスクレコーダ内に備えられたＭＰＥＧデコーダ１１が実行する。ＭＰＥＧデコーダ１１は復号専用にハードウエアとして形成されており、汎用ＣＰＵで同一の復号動作を行わせる場合よりＭＰＥＧデコーダ１１の復号化速度は高速である。よって、ＣＰＵ４はＲＯＭ９とＲＡＭ１０との間、及びＲＡＭ１０とデコーダ１１との間におけるデータの転送を実行するだけで済むので、起動動作に要する時間の短縮化を図ることができる。
【００２３】
なお、ＭＰＥＧデコーダ１１は復号化動作のモードを圧縮制御データの復号化時には映像信号及び音声信号の復号化時とは異なるモードに変更できるものでも良い。
【００２４】
また、ＣＰＵが上記したように、圧縮制御データをＲＯＭから読み出し、ＲＡＭに書き込むのではなく、ＭＰＥＧレコーダがＣＰＵに代わってこの処理を行うことも可能である。
【００２５】
上記した実施例においては、本発明をＤＶＤレコーダ等のディスクレコーダに適用した場合について説明したが、本発明はディスクレコーダ以外のＰＤＡ、携帯電話機等の画像処理装置に適用することができる。
【００２６】
以上の如く、本発明によれば、ＣＰＵは制御用プログラムが圧縮された圧縮制御データを画像デコーダに復号させて制御用プログラムを得る起動動作を電源投入直後に実行するので、電源投入直後の起動動作に要する時間の短縮化を図ることができ、画像処理装置の実際の動作が電源投入後早急に可能となる。
【図面の簡単な説明】
【００２７】
【図１】本発明を適用したディスクレコーダの構成を示すフロック図である。
【図２】ＣＰＵによって実行される起動動作を示すフローチャートである。
【符号の説明】
【００２８】
１  ＴＶチューナ
３  ＭＰＥＧエンコーダ
４  ＣＰＵ
７  ＨＤＤ装置
８  光ディスクドライブ装置
１１  ＭＰＥＧデコーダ
【図１】
2006285402.tif 000003
【図２】
2006285402.tif 000004